(57)【要約】      （修正有）【課題】特定の波長の光を効率的に照射でき、スマートフォン等の薄型カメラに容易に装着でき、光量の調節が容易で、しかも片手で操作可能なリングライトアダプタを提供する。【解決手段】リングライトアダプタは、中央に環状の貫通孔を有する本体１０と、本体の片側に環状に配置された複数の光源と、本体に設けられ薄型カメラ等に装着可能とする保持具１４と、光源の電源を含む制御ボックス２０とを備え、光源が特定波長の光を発出するＬＥＤランプであり、貫通孔には所望の周波数帯のみの光を透過するバンドパスフィルタを装着できるよう構成されている。【選択図】図１
0003211867.tif 000002
【実用新案登録請求の範囲】
【請求項１】
中央に環状の貫通孔を有する本体と、前記本体の片側に環状に配置された複数の光源と、前記本体に設けられ薄型カメラ等に装着可能とする保持具と、前記光源の電源とを備えたリングライトアダプタにおいて、前記光源が特定波長の光を発出するＬＥＤランプであり、前記貫通孔には所望の周波数帯のみの光を透過するバンドパスフィルタを装着できるよう構成されていることを特徴とするリングライトアダプタ。
【請求項２】
前記電源には前記ＬＥＤランプのオン・オフだけでなく光の強弱を調節できる機能が備えられていることを特徴とする請求項１記載のリングライトアダプタ。
【請求項３】
前記光源が、ブルーライト領域の光を発出するＬＥＤであることを特徴とする請求項１または２記載のリングライトアダプタ。
【請求項４】
前記バンドパスフィルタが、ブルーライト領域を透過するフィルタであることを特徴とする請求項１乃至３のいずれかに記載のリングライトアダプタ。
【考案の詳細な説明】
【技術分野】
【０００１】  本考案は、スマートフォン／ｉＰｈｏｎｅ等の薄型カメラに簡単に装着でき、スマートフォン／ｉＰｈｏｎｅを特定の目的のために使用できるようにするリングライトアダプタに関するものである。
【背景技術】
【０００２】  近年、スマートフォン／ｉＰｈｏｎｅの普及と高機能化に伴い、スマートフォン／ｉＰｈｏｎｅをデジタルカメラの代わりに使用する人が増加している。ところが、スマートフォン／ｉＰｈｏｎｅのフラッシュライトでは暗い場所での撮影の場合光量が十分でないという欠点がある。そこでそれを補うため、インターネット等ではスマートフォン／ｉＰｈｏｎｅに簡単に装着できる可視光のリングライトが市販されている。【０００３】  考案者らは、寝たきり高齢者や脊髄損傷の患者などによく見られる褥瘡の早期診断方法として、ブルーライト光源を備えたカメラまたはブルーライト照射により褥瘡患部を写真撮影し、撮影画像における発赤部位の陰影の有無と強弱の差により褥瘡の進行を判断することを特徴とした褥瘡の早期診断方法を特許出願した。この方法においては特殊な紫外線カメラ或いは暗視条件が必要であり、臨床応用には不便さが感じられていた。そこで、同様の原理を利用して、広く使われているスマートフォン／ｉＰｈｏｎｅのカメラを活用する方法を検討することとした。【０００４】  特許文献１には、従来型のカメラに装着するためのバウンスアダプタが提案されている。この技術はカメラの鏡筒部に装着するタイプであり、ＬＥＤランプは使用しているものの、カメラとアダプタを合わせるとかなりの重量となるため、片手で操作することは容易でない。【０００５】
【特許文献１】特開２００９−１２２５６０号公報
【考案の開示】
【考案が解決しようとする課題】
【０００６】  上記従来技術の問題点に鑑みて本考案によるリングライトアダプタは、特定の波長の光を均等かつ効率的に照射でき、かつスマートフォン／ｉＰｈｏｎｅ等の薄型カメラに容易に装着でき、さらに光量の調節が容易で、しかも片手で操作可能なリングライトアダプタを提供することを課題とする。
【課題を解決するための手段】
【０００７】  上記課題を解決するため本考案によるリングライトアダプタは、中央に環状の貫通孔を有する本体と、前記本体の片側に環状に配置された複数の光源と、前記本体に設けられ薄型カメラ等に装着を可能とする保持具と、前記光源の電源とを備えたリングライトアダプタにおいて、前記光源が特定波長の光を発出するＬＥＤランプであり、前記貫通孔には所望の周波数帯のみの光を透過するバンドパスフィルタを装着して、室内照明の条件でも撮影できるよう構成されていることを特徴とする。【０００８】  前記電源には前記ＬＥＤランプのオン・オフだけでなく光の強弱を調節できる機能が備えられていることが望ましく、前記光源はブルーライト領域の光を発出するＬＥＤであることが好適である。また、前記バンドパスフィルタが、ブルーライト領域を透過するフィルタであることが望ましい。
【考案の効果】
【０００９】  本考案によるリングライトアダプタは、ＬＥＤ光源、調光コントローラー及びバンドパスフィルタを一体化してあるため、簡単に操作できる特定の波長の光を均等かつ効率的に照射でき、スマートフォン／ｉＰｈｏｎｅ等の薄型カメラに容易に装着でき、光量調節が容易で、しかも片手で操作可能である。また、小型であるため回診などに手軽に持ち運ぶことが可能である。
【考案を実施するための最良の形態】
【実施例】
【００１０】  以下、本考案の好適な実施態様について、図面に基づいて説明する。図１は、本考案によるリングライトアダプタの実施例を示す正面図である。この実施例は、クリップ１４を有するリングライト本体１０と、ランプのオン・オフだけでなく光量調節機能を設けた制御ボックス２０とが電源コード２４にて接続されている。制御ボックス２０上部スマートフォン／ｉＰｈｏｎｅを装着するためのステージ２２が設けられており、ステージ２２表面には複数の吸盤２３が配置されている。図１では、スマートフォン／ｉＰｈｏｎｅ３０をステージ２２に装着し、クリップ１４によりリングライト本体１０をスマートフォン／ｉＰｈｏｎｅ３０のカメラレンズに固定した状態を示している。【００１１】  図２に、図１に示した実施例のリングライト本体１０の斜視図を示す。リングライト本体１０には外周に沿って複数のブルーライト領域の光を発出できるＬＥＤランプ１１が配置されており、中央部には貫通孔１２が設けてあって、バンドパスフィルタ１３が装着されている。【００１２】  ブルーライトと呼ばれる光の波長は一般的には３８０乃至５００ｎｍであり、可視光線と紫外線の境界領域であるが、本発明に使用するブルーライトの波長は３２０乃至４５０ｎｍであることが好適である。本考案の考案者らの検討により、褥瘡の早期診断においてはこの領域の光を照射することが有効であることがわかっている。ただし、より効果的な診断を行うためには照射する光の波長をより絞り込むことが必要である。一般的にＬＥＤランプの光はある程度波長領域が広いため、有効な写真撮影を行うため、バンドパスフィルタ１３を装着することが好適である。この実施例で使用したバンドパスフィルタは、４０５ｎｍの光を透過する。【００１３】  図３は図１に示した実施例の制御ボックス部の斜視図である。制御ボックス２０にはＬＥＤランプ１１のオン・オフだけでなく光量調節機能を制御する機構が内蔵されており、つまみ２１によって、それらを調節することができる。【００１４】  図４は図１に示した実施例の下側からの斜視図を示す。制御ボックス２０とリングライト本体１０がスマートフォン／ｉＰｈｏｎｅと一体化できるため、持ち運びが容易でるばかりでなく片手で容易に操作することができる。従って、褥瘡の効率的な早期診断が可能となる。【００１５】  図５には、図１に示した実施例に用いたＬＥＤランプを制御する回路の実施例を示した。【００１６】  上記の実施例については、市販の部品を組み合わせることにより構成できるため、安価に製造することが可能である。【００１７】  この実施例では褥瘡の早期診断を例として扱ったためブルーライト領域のＬＥＤランプとバンドパスフィルタを使用したが、別の分野において異なった波長領域の光が必要な場合は、その用途に応じたランプとフィルタの組合わせを用いることができる。
【産業上の利用可能性】
【００１８】  本考案によるリングライトアダプタは、特定の波長の光を効率的に照射でき、スマートフォン／ｉＰｈｏｎｅ等の薄型カメラに容易に装着でき、光量調節が容易で、しかも片手で操作可能であるため、医療現場において十分に活用できるとともに、遠隔診断も可能である。また、しがい領域以外の波長を選択することによって、より広範な分野での応用が可能となる。
【図面の簡単な説明】
【００１９】
【図１】本考案によるリングライトアダプタ実施例の正面図である。
【図２】図１に示した実施例のリングライト部の斜視図である。
【図３】図１に示した実施例の制御ボックス部の斜視図である。
【図４】図１に示した実施例にスマートフォン／ｉＰｈｏｎｅを装着した状態を示す斜視図である。
【図５】図１に示した実施例に使用した回路図を示す。
【符号の説明】
【００２０】１０  リングライト本体
１１  ＬＥＤランプ
１２  貫通孔
１３  バンドパスフィルタ
１４  クリップ
２０  制御ボックス
２１  つまみ
２２  スマートフォン／ｉＰｈｏｎｅステージ
２３  吸盤
２４  電源コード
３０  スマートフォン／ｉＰｈｏｎｅ
【図１】
0003211867.tif 000003
【図２】
0003211867.tif 000004
【図３】
0003211867.tif 000005
【図４】
0003211867.tif 000006
【図５】
0003211867.tif 000007